(57)【要約】  本発明は、本体と作動部からなり、前記本体は、口部と、該口部の周囲に形成された落下空間を備えた受容部密閉部を含み、前記作動部は、垂直に動き、異種物質を受容する貯蔵空間が形成された延長された受容部を含み、上部に形成された密閉部の上部に少なくとも一つ以上の排出孔を有し、異種物質が受容された作動部が本体の口部に組み立てられて、貯蔵空間が受容部密閉部により密閉され、作動部一体形の異種物質貯蔵空間を有する受容装置を提供する。
2009518253.tif 000002
【特許請求の範囲】
【請求項１】
本体と作動部からなり、前記本体は、口部と、該口部の周囲に形成された落下空間を備えた受容部密閉部を含み、前記作動部は、垂直に動き、異種物質を受容する貯蔵空間が形成された延長された受容部を含み、上部に形成された密閉部の上部に少なくとも一つ以上の排出孔を有し、異種物質が受容された作動部が本体の口部に組み立てられて、貯蔵空間が受容部密閉部により密閉され、作動部一体形の異種物質貯蔵空間を有する受容装置。
【請求項２】
前記受容部密閉部は別に受容部に組み立てられることを特徴とする請求項１記載の作動部一体形貯蔵空間を有する受容装置。
【請求項３】
本体と作動部からなって、前記本体は、口部と、口部の周囲に形成された落下空間を備えた受容部密閉部を含み、前記作動部は、本体の上部に排出孔および一定な長さに延長される貯蔵空間を有する受容部を有して、
前記排出孔を密閉する密閉突起が本体の底部から延長されており、別の栓で遮断されるポートが貯蔵空間の底部に形成されることを特徴とする作動部一体形の異種物質貯蔵空間を有する受容装置。
【発明の詳細な説明】
【技術分野】
【０００１】
本発明は容器を密閉する受容装置に関する。さらに詳しくは、例えば容器に受容された水または一般飲み物のような物質（成分）と、例えば濃縮液または顆粒のような異なる異種物質を含む、作動部一体形の貯蔵空間を備える受容装置に関するものである。
【０００２】
このような受容装置は、医療、製薬、化粧品等の多様な産業分野に用いられる。
【背景技術】
【０００３】
一般に、容器内部の液体と、添加剤としての顆粒または濃縮液、または二酸化炭素、ビタミン粉末等のような異種物質を混合させるためには、容器には異種物質を貯蔵するための別途の空間が必要である。
【０００４】
容器内で二つ以上の物質を混合するための構造は米国特許第９３７０４９号明細書を含む５、０００以上が提案されている。
【０００５】
しかしながら、上記特許に開示された容器は、生産ラインの非効率性、使用の便利性などの問題点が有って大衆化されることができない。
【０００６】
特に、容器の構造変更、または排出装置を開放する過度な力により招来されるエルボ現状の損傷の問題点なく、容器内で二つ以上の物質を混合するために容器および作動部をより容易に取り扱うことに対する別の必要が有る。
【０００７】
最近、国際特許出願第ＰＣＴ／ＥＰ２００２／００４５２３号（２００２年０１月１７日付出願）、そして日本国特許出願第２００１−００１８５４２８号（２００１年０６月１９日付出願）は、他の構造を提示したが、商業的に成功しなかった。特に、日本特許出願に開示された構造は、開放部を形成する部位が容器内部に落下され、子供が飲んでしまう恐れがあるなどの問題点がある。
【０００８】
容器に異種物質を貯蔵する別の空間が備えた他の構造は、既存の容器の首には適用できない問題点が内在されている。
【発明の開示】
【発明が解決しようとする課題】
【０００９】
詳述した従来技術の問題点で、本発明の目的は、作動部があって飲用性を向上させることができる受容装置を提供することにある。
【００１０】
本発明の他の目的は、貯蔵空間および容器を同時に開放して、異種物質が容器内の基本物質に排出および混合され、混合物が容器から排出されることができる作動部が備えた受容装置を提供することにある。
【００１１】
本発明のまた他の目的は、作動部に異種物質が受容される貯蔵空間を備えて、構造を単純化させて製品の機密性を向上させる受容装置を提供することにある。
【課題を解決するための手段】
【００１２】
前記目的を実現するために、本発明による容器に受容された物質と異なる異種物質を含み、容器の首に設ける受容装置は、異種物質を貯蔵する貯蔵空間が形成された受容部を有し、基本物質と異種物質の混合物が排出される方向に備える本体と；貯蔵空間の下部開閉孔を開いて、受容部の貯蔵空間の異種物質が容器内に受容された基本物質と混合させることができる作動部とを含むことを特徴とする。
【００１３】
前記作動部は基本物質と異種物質の混合物が排出される通路の方向に備える。
【００１４】
前記下部開閉孔は作動部の下部密閉部により密閉されて、そして作動部が上方に移動する時には開いて、異種物質が容器内の基本物質に排出されることができる。
【発明を実施するための最良の形態】
【００１５】
以下、本発明の好ましい実施形態を添付した図面を参照して説明する。以下の説明で、同一の参照符合は各々の異なる図面で同一の要素に使用され、同一の参照符号の重複説明は省略された。
【００１６】
図１は本発明の望ましい一つの実施形態を示す図面である。
【００１７】
本発明の受容装置１は、例えば飲料水用の瓶のような容器１００にスクリュー方式、ワンタッチ方式、接着などの方法に分離可能に結合される。
【００１８】
前記受容装置１は本体１０と作動部２０とからなる。
【００１９】
前記本体１０は口部１１と落下空間１３がある受容部密閉部１２とからなる。
【００２０】
前記作動部２０は貯蔵空間２２がある延長された受容部２１を含む。前記作動部２０が本体１０の口部１１に結合されたときには、作動部の上部に形成された密閉部２３が口部１１の内面に密着されて機密を維持する。
【００２１】
前記作動部２０は密閉部２３の上部に少なくとも一つ以上の排出孔２４が形成され、前記排出孔２４は作動部２０が上がる時に開く。
【００２２】
使用のために、作動部２０を上方に移動すると、受容部２１が受容部密閉部１２から離れながら、異種物質が落下空間１３を通じて容器に排出されて容器内の基本物質と混合される。
【００２３】
混合物は最後に上方の排出孔２４を通じて排出されるものである。
【００２４】
図２は、本発明の第二実施形態を示すことで、受容部密閉部１２を別途に本体に組み立てることができる。
【００２５】
図３は、本発明の第三実施形態を示すことで、作動部２０を開閉するためには、作動部は図１に示したように垂直に昇降されたり、スクリュー方式で垂直に回転することができる。
【００２６】
図４は、本発明の第四実施形態を示すことで、受容装置１は紙パック形態の容器に組み立てられたり、または、図５に示したようにパウチ形態の容器に接着することができる。
【００２７】
図６は、本発明の他の実施形態を示すことで、受容部密閉部１２がまず受容部２１に組み立てられ、その後、本体１０に結合される。
【００２８】
図７は、本発明の他の実施形態を示すことで、受容部密閉部１２が貯蔵空間２２を通じて受容部２１に組み立てられる。
【００２９】
図８の他の実施形態では、基本物質と異種物質の混合物を排出する排出孔が作動部の上部の中央に形成される。
【００３０】
前記排出孔は長く延長された密閉突起１４によって機密になって、前記密閉突起１４は貯蔵空間２２の体積を減少させないために、空間１５が形成される。
【００３１】
また、内容物を容易に入れるために、貯蔵空間２２の底部にポートが形成され、前記ポートは別の栓３０で遮断される。
【００３２】
前記作動部２０が垂直に昇降される距離を制限するために、作動部２０の内面に掛かり敷居２６が形成され、これに対応して口部の外面に敷居６が形成される。
【００３３】
図９は、作動部２０が回転方式により垂直に昇降されて開閉されることを示す。
【産業上の利用可能性】
【００３４】
上記に説明したように、本発明の受容装置は、容器内に受容された水、飲み物または他の液体と混合される濃縮液または顆粒の二つの異種物質の混合が容易、かつ便利になる。そして、医療、製薬、化粧品等の多様な産業分野で有効に用いられることができる。
【図面の簡単な説明】
【００３５】
【図１】本発明の第一実施形態による受容装置の縦断面図である。
【図２】本発明の第二実施形態による受容装置の縦断面図である。
【図３】本発明の第三実施形態による受容装置の縦断面図である。
【図４】本発明のいろいろな実施形態による受容装置の縦断面図である。
【図５】本発明のいろいろな実施形態による受容装置の縦断面図である。
【図６】本発明のいろいろな実施形態による受容装置の縦断面図である。
【図７】本発明のいろいろな実施形態による受容装置の縦断面図である。
【図８】本発明のいろいろな実施形態による受容装置の縦断面図である。
【図９】本発明のいろいろな実施形態による受容装置の縦断面図である。
【図１】
2009518253.tif 000003
【図２】
2009518253.tif 000004
【図３】
2009518253.tif 000005
【図４】
2009518253.tif 000006
【図５】
2009518253.tif 000007
【図６】
2009518253.tif 000008
【図７】
2009518253.tif 000009
【図８】
2009518253.tif 000010
【図９】
2009518253.tif 000011
【国際調査報告】
2009518253.tif 000012
2009518253.tif 000013